(57)【要約】【課題】ガイド部材を他の部材に連動させることなく移動可能であり且つ３つの搬送路が合流する構成においてシートを安定して搬送可能な装置を提供する。【解決手段】当該装置は、搬送経路６５、レーベル経路６７、及びバイパス経路６６を有する筐体１４と、各経路６５、６７、６６の合流位置８０に移動可能であって、搬送経路６５を搬送される記録用紙をガイドするガイド部材３４と、を備える。ガイド部材３４は、既定状態において搬送経路６５を合流位置８０に対して塞ぎ、且つ、レーベル経路６７及びバイパス経路６６が合流位置８０に対して開放された第１位置に保持され、搬送経路６５を搬送される記録用紙と当接することによって、搬送経路６５を合流位置８０に対して開放し、且つ、レーベル経路６７及びバイパス経路６６を合流位置８０に対して塞ぐ第２位置に移動する。【選択図】図２
2015174337.tif 000002
【特許請求の範囲】
【請求項１】
第１搬送路と、第２搬送路と、第３搬送路とを有する筐体と、
上記第１搬送路と、上記第２搬送路と、上記第３搬送路との合流位置に移動可能であって、上記第１搬送路を搬送されるシートをガイドする第１ガイド部材と、を備え、
上記第１ガイド部材は、既定状態において上記第１搬送路の少なくとも一部を上記合流位置に対して塞ぎ、且つ、上記第２搬送路及び上記第３搬送路が上記合流位置に対して開放された第１位置に保持され、上記第１搬送路を搬送されるシートと当接することによって、上記第１搬送路を上記合流位置に対して開放し、且つ、上記第２搬送路の少なくとも一部及び上記第３搬送路の少なくとも一部を上記合流位置に対して塞ぐ第２位置に移動する画像記録装置。
【請求項２】
シートを支持する第１トレイを更に備え、
上記第１搬送路は、上記第１トレイから湾曲しつつ上方へ延びている湾曲部分及び当該湾曲部分に連続する延出部分を有し、
上記第１ガイド部材は、上記湾曲部分に設けられている請求項１に記載の画像記録装置。
【請求項３】
上記第２搬送路は、上記第１搬送路における上記延出部分及び上記湾曲部分の境界から上記延出部分と反対向きに延びており、剛性の高い搬送媒体を屈曲させずにガイドする請求項２に記載の画像記録装置。
【請求項４】
上記第１トレイからシートを上記第１搬送路に給送する給送ローラと、
上記延出部分に配置されており、シートまたはシートより厚みのある搬送媒体を挟持して上記延出部分及び上記第２搬送路に沿って搬送する搬送ローラ対と、
上記延出部分において上記搬送ローラ対より上記給送ローラの給送向きの下流側に配置されており、上記延出部分を搬送されるシートまたは搬送媒体に画像を記録する記録部と、を更に備える請求項３に記載の画像記録装置。
【請求項５】
上記湾曲部分の少なくとも一部を構成する第２ガイド部材と、
上記第２ガイド部材と対向して配置されており、上記湾曲部分の少なくとも一部及び上記延出部分の少なくとも一部を構成する第３ガイド部材と、
上記第３ガイド部材と対向して配置されており、上記延出部分の少なくとも一部を構成する第４ガイド部材と、を備え、
上記第１ガイド部材は、上記湾曲部分より上記第２ガイド部材側を中心に回動可能に設けられており、上記第２位置において、その回動先端が上記延出部分における上記合流位置よりも上記給送向きの下流側に位置している請求項４に記載の画像記録装置。
【請求項６】
上記第１ガイド部材は、上記第１位置において、回動先端側が上記第３ガイド部材に支持されている請求項５に記載の画像記録装置。
【請求項７】
搬送媒体は、被記録媒体を支持可能な媒体トレイであり、
上記第２搬送路は、上記媒体トレイをガイドする請求項３から６のいずれかに記載の画像記録装置。
【請求項８】
媒体トレイは、上記第１搬送路における上記延出部分の最下流側から挿入されて上記第２搬送路に到達する請求項７に記載の画像記録装置。
【請求項９】
上記第１ガイド部材は、上記第１位置において、上記第２搬送路よりも下方に位置している請求項３から８のいずれかに記載の画像記録装置。
【請求項１０】
シートを支持する第２トレイを更に備え、
上記第３搬送路は、上記第２トレイから下方へ延びており、上記延出部分と接続されている請求項１から９のいずれかに記載の画像記録装置。
【請求項１１】
上記第１ガイド部材は、上記第１位置において、上記第３搬送路から搬送されるシートを、上記第１搬送路から搬送されるシートをガイドする面とは異なる面でガイドする請求項１０に記載の画像記録装置。
【請求項１２】
上記第１ガイド部材を上記第２位置から上記第１位置への向きに付勢する付勢部材を更に備える請求項１から１１のいずれかに記載の画像記録装置。
【請求項１３】
シートを支持する第１トレイを更に備え、
上記第１搬送路は、上記第１トレイから湾曲しつつ上方へ延びている湾曲部分及び当該湾曲部分に連続する延出部分を有し、上記湾曲部分の少なくとも一部を構成する第２ガイド部材と、当該第２ガイド部分と対向して配置され、上記湾曲部分の少なくとも一部及び上記延出部分の少なくとも一部を構成する第３ガイド部材とによって構成され、
上記第１ガイド部材は、上記第２ガイド部材に回動可能に支持されており、上記第１位置に対して上記第２位置の反対側の第３位置にも回動可能であり、
上記第２ガイド部材は、上記第１ガイド部材の上記第１位置から上記第３位置へ向かう回動を上記第３位置で規制するストッパを備え、且つ上記湾曲部分を構成する閉状態及び上記湾曲部分を開放する開状態に変化可能であり、
上記第３ガイド部材は、上記第２ガイド部材が上記開状態から上記閉状態へ変化する過程において上記第３位置の上記第１ガイド部材に当接して上記第１位置にガイドする案内部を備える請求項１から１２のいずれかに記載の画像記録装置。
【請求項１４】
シートを支持する第１トレイを更に備え、
上記第１搬送路は、上記第１トレイから湾曲しつつ上方へ延びている湾曲部分及び当該湾曲部分に連続する延出部分を有し、上記湾曲部分の少なくとも一部を構成する第２ガイド部材と、当該第２ガイド部分と対向して配置され、上記湾曲部分の少なくとも一部及び上記延出部分の少なくとも一部を構成する第３ガイド部材とによって構成され、
上記第１ガイド部材は、上記搬送向きと直交する幅方向に間隔を空けて複数設けられており、
上記第３ガイド部材は、上記幅方向に間隔を空けて設けられ且つ上記第１位置の複数の上記第１ガイド部材の各々が収容される複数の凹部を備える請求項１から１３のいずれかに記載の画像記録装置。
【請求項１５】
シートを支持する第１トレイ及び第２トレイと、
第１搬送路と、第２搬送路と、第３搬送路と、を有する筐体と、を備え、
上記第１搬送路は、上記第１トレイから送られるシートをガイドするものであり、上記第１トレイから湾曲しつつ上方へ延びている湾曲部分及び当該湾曲部分に連続する延出部分を有し、
上記第２搬送路は、被記録媒体を支持可能な媒体トレイをガイドするものであり、上記第１搬送路における上記延出部分及び上記湾曲部分の境界から上記延出部分と反対向きに延びており、
上記第３搬送路は、上記第２トレイから送られるシートをガイドするものであり、上記第２トレイから下方へ延びており上記延出部分と接続されており、
上記第１搬送路と、上記第２搬送路と、上記第３搬送路との合流位置に移動可能であって、上記第１搬送路を搬送されるシートをガイドするガイド部材と、を備え、
上記ガイド部材は、既定状態において上記第１搬送路の少なくとも一部を上記合流位置に対して塞ぎ、且つ、上記第２搬送路及び上記第３搬送路が上記合流位置に対して開放された第１位置に保持され、上記第１搬送路を搬送されるシートと当接することによって、上記第１搬送路を上記合流位置に対して開放し、且つ、上記第２搬送路の少なくとも一部及び上記第３搬送路の少なくとも一部を上記合流位置に対して塞ぐ第２位置に移動する画像記録装置。
【発明の詳細な説明】
【技術分野】
【０００１】
本発明は、シート及びシートより厚みのある搬送媒体を搬送可能な画像記録装置に関する。
【背景技術】
【０００２】
近年、プリンタなどの画像記録装置の多くは、記録用紙などのシートの他に、シートより厚みのある記録媒体や、媒体トレイに支持されたＣＤ、ＤＶＤなど（以下、これらをまとめて搬送媒体とも称する。）にも画像記録可能である。これらの搬送媒体は、画像記録装置の前面や背面などに設けられた挿入口から挿入され、装置内に設けられた主搬送路を搬送される。
【０００３】
また、画像記録装置には、装置の背面側に背面トレイが設けられたものもある。背面トレイに支持されたシートは、背面側搬送路を介して装置内へ給送される。この背面側搬送路は、上方から主搬送路に合流している。
【０００４】
このように主搬送路と背面側搬送路とが合流している構成では、搬送媒体やシートが本来搬送されるべき搬送路とは異なる搬送路に誤搬送される可能性がある。その誤搬送を防止するため、特許文献１には、挿入時の搬送媒体を支持するためのトレイガイドが退避位置のとき、背面側搬送路を搬送されるシートが主搬送路に円滑に導かれるように所定位置で主搬送路の一部を塞いでおり、トレイガイドの退避位置から支持可能位置への移動に連動して、主搬送路を塞ぐ位置から開放する位置に移動するガイド部材を備えた記録装置が開示されている。
【先行技術文献】
【特許文献】
【０００５】
【特許文献１】特開２００５−１４４９３１号公報
【発明の概要】
【発明が解決しようとする課題】
【０００６】
しかしながら、３つの搬送路が合流する構成については想定されていないため、特許文献１に開示されたガイド部材では、３つの搬送路が合流する構成ではシートを安定して搬送させることができないおそれがある。また、当該ガイド部材を移動させるためには、ガイド部材をトレイガイドの動きと連動させる連動機構が必要であり、装置が大型化してしまう。
【０００７】
本発明は、上記問題に鑑みてなされたものであり、その目的は、ガイド部材を他の部材に連動させることなく移動可能であり且つ３つの搬送路が合流する構成においてシートを安定して搬送させることができる画像記録装置を提供することにある。
【課題を解決するための手段】
【０００８】
(1)  本発明に係る画像記録装置は、第１搬送路と、第２搬送路と、第３搬送路とを有する筐体と、上記第１搬送路と、上記第２搬送路と、上記第３搬送路との合流位置に移動可能であって、上記第１搬送路を搬送されるシートをガイドする第１ガイド部材と、を備える。上記第１ガイド部材は、既定状態において上記第１搬送路の少なくとも一部を上記合流位置に対して塞ぎ、且つ、上記第２搬送路及び上記第３搬送路が上記合流位置に対して開放された第１位置に保持され、上記第１搬送路を搬送されるシートと当接することによって、上記第１搬送路を上記合流位置に対して開放し、且つ、上記第２搬送路の少なくとも一部及び上記第３搬送路の少なくとも一部を上記合流位置に対して塞ぐ第２位置に移動する。
【０００９】
本構成によれば、第１ガイド部材は、第１搬送路を搬送されるシートと当接することによって第１位置から第２位置に移動する。つまり、第１ガイド部材を他の部材に連動させることなく移動させることができる。また、第１ガイド部材が第１位置のとき、第１搬送路の少なくとも一部が合流位置に対して塞がれているため、第２搬送路及び第３搬送路を搬送されるシートが第１搬送路へ進入する可能性を低くすることができる。また、第１ガイド部材が第２位置のとき、第２搬送路の少なくとも一部及び第３搬送路の少なくとも一部が合流位置に対して塞がれているため、第１搬送路を搬送されるシートが第２搬送路または第３搬送路へ進入する可能性を低くすることができる。以上より、３つの搬送路が合流する構成においてシートを安定して搬送させることができる。
【００１０】
(2)  本発明に係る画像記録装置は、シートを支持する第１トレイを更に備える。上記第１搬送路は、上記第１トレイから湾曲しつつ上方へ延びている湾曲部分及び当該湾曲部分に連続する延出部分を有する。上記第１ガイド部材は、上記湾曲部分に設けられている。
【００１１】
本構成によれば、第１ガイド部材が第２位置のとき、第２搬送路の少なくとも一部及び第３搬送路の少なくとも一部が合流位置に対して塞がれているため、湾曲部分を搬送されるシートを第２搬送路または第３搬送路へ進入させることなく延出部分へガイドすることができる。
【００１２】
(3)  上記第２搬送路は、上記第１搬送路における上記延出部分及び上記湾曲部分の境界から上記延出部分と反対向きに延びており、剛性の高い搬送媒体を屈曲させずにガイドする。
【００１３】
本構成によれば、第２搬送路が延出部分と反対向きに延びているため、第２搬送路及び延出部分はシートだけでなく剛性の高い搬送媒体をガイドできる。
【００１４】
(4)  本発明に係る画像記録装置は、上記第１トレイからシートを上記第１搬送路に給送する給送ローラと、上記延出部分に配置されており、シートまたはシートより厚みのある搬送媒体を挟持して上記延出部分及び上記第２搬送路に沿って搬送する搬送ローラ対と、上記延出部分において上記搬送ローラ対より上記給送ローラの給送向きの下流側に配置されており、上記延出部分を搬送されるシートまたは搬送媒体に画像を記録する記録部と、を更に備える。
【００１５】
本構成によれば、シートだけでなく剛性の高い搬送媒体にも画像を記録できる。
【００１６】
(5)  本発明に係る画像記録装置は、上記湾曲部分の少なくとも一部を構成する第２ガイド部材と、上記第２ガイド部材と対向して配置されており、上記湾曲部分の少なくとも一部及び上記延出部分の少なくとも一部を構成する第３ガイド部材と、上記第３ガイド部材と対向して配置されており、上記延出部分の少なくとも一部を構成する第４ガイド部材と、を備える。上記第１ガイド部材は、上記湾曲部分より上記第２ガイド部材側を中心に回動可能に設けられており、上記第２位置において、その回動先端が上記延出部分における上記合流位置よりも上記給送向きの下流側に位置している。
【００１７】
本構成によれば、第１ガイド部材が第２位置のとき、第１搬送路を搬送されるシートは、第１ガイド部材にガイドされることによって、延出部分における合流位置より給送向きの下流側へ到達し、そのまま搬送ローラ対へ向けて搬送される。よって、第１ガイド部材に沿ってガイドされて延出部分へ到達したシートが、第１ガイド部材の回動先端よりも給送向きの上流側へ戻って第２搬送路や第３搬送路へ進入したり、第１ガイド部材の回動先端よりも給送向きの上流側に位置する合流位置において各搬送路を構成するガイド部材に引っかかったりする可能性は殆どない。
【００１８】
(6)  上記第１ガイド部材は、上記第１位置において、回動先端側が上記第３ガイド部材に支持されている。
【００１９】
本構成によれば、第１位置の第１ガイド部材は、湾曲部分と延出部分との連通を遮断している。これにより、延出部分、第２搬送路、及び第３搬送路を搬送されるシートが誤って湾曲部分に進入することを防止できる。
【００２０】
(7)  搬送媒体は、被記録媒体を支持可能な媒体トレイであり、上記第２搬送路は、上記媒体トレイをガイドしてもよい。
【００２１】
(8)  媒体トレイは、上記第１搬送路における上記延出部分の最下流側から挿入されて上記第２搬送路に到達してもよい。
【００２２】
(9)  上記第１ガイド部材は、上記第１位置において、上記第２搬送路よりも下方に位置している。
【００２３】
本構成によれば、第１ガイド部材が第２搬送路を搬送される搬送媒体と接触して傷つくことを防止できる。
【００２４】
(10)  本発明に係る画像記録装置は、シートを支持する第２トレイを更に備え、上記第３搬送路は、上記第２トレイから下方へ延びており、上記延出部分と接続されていてもよい。
【００２５】
(11)  上記第１ガイド部材は、上記第１位置において、上記第３搬送路から搬送されるシートを、上記第１搬送路から搬送されるシートをガイドする面とは異なる面でガイドする。
【００２６】
本構成によれば、第１ガイド部材は、第１搬送路から搬送されるシートに加えて第３搬送路から搬送されるシートをガイドすることができる。
【００２７】
(12)  本発明に係る画像記録装置は、上記第１ガイド部材を上記第２位置から上記第１位置への向きに付勢する付勢部材を更に備える。
【００２８】
本構成によれば、第１ガイド部材の位置を安定させることができる。
【００２９】
(13)  シートを支持する第１トレイを更に備える。上記第１搬送路は、上記第１トレイから湾曲しつつ上方へ延びている湾曲部分及び当該湾曲部分に連続する延出部分を有し、上記湾曲部分の少なくとも一部を構成する第２ガイド部材と、当該第２ガイド部分と対向して配置され、上記湾曲部分の少なくとも一部及び上記延出部分の少なくとも一部を構成する第３ガイド部材とによって構成されている。上記第１ガイド部材は、上記第２ガイド部材に回動可能に支持されており、上記第１位置に対して上記第２位置の反対側の第３位置にも回動可能である。上記第２ガイド部材は、上記第１ガイド部材の上記第１位置から上記第３位置へ向かう回動を上記第３位置で規制するストッパを備え、且つ上記湾曲部分を構成する閉状態及び上記湾曲部分を開放する開状態に変化可能である。上記第３ガイド部材は、上記第２ガイド部材が上記開状態から上記閉状態へ変化する過程において上記第３位置の上記第１ガイド部材に当接して上記第１位置にガイドする案内部を備える。
【００３０】
本構成によれば、第２ガイド部材を開状態から閉状態へ変化させる際に、第１ガイド部材は、通常、自重などによって最も下方に位置する第３位置に位置する。そして、第３位置に位置する第１ガイド部材は、第２ガイド部材が閉状態へ変化する過程において、案内部によって第３位置から第１位置へガイドされる。これにより、湾曲部分に詰まったシートを取り出すために開状態に変化された第２ガイド部材が閉状態へ再び変化される場合に、第１ガイド部材が他の部材に引っかかることなどによって当該変化の障害となることを防止できる。
【００３１】
(14)  シートを支持する第１トレイを更に備える。上記第１搬送路は、上記第１トレイから湾曲しつつ上方へ延びている湾曲部分及び当該湾曲部分に連続する延出部分を有し、上記湾曲部分の少なくとも一部を構成する第２ガイド部材と、当該第２ガイド部分と対向して配置され、上記湾曲部分の少なくとも一部及び上記延出部分の少なくとも一部を構成する第３ガイド部材とによって構成されている。上記第１ガイド部材は、上記搬送向きと直交する幅方向に間隔を空けて複数設けられている。上記第３ガイド部材は、上記幅方向に間隔を空けて設けられ且つ上記第１位置の複数の上記第１ガイド部材の各々が収容される複数の凹部を備える。
【００３２】
本構成によれば、凹部が設けられていない構成よりも、第１位置の第１ガイド部材を第３ガイド部材側に位置させることができる。これにより、第１ガイド部材及び第３ガイド部材の配置に要するスペースを小さくすることができる。
【００３３】
(15)  本発明は、シートを支持する第１トレイ及び第２トレイと、第１搬送路と、第２搬送路と、第３搬送路と、を有する筐体と、を備え、上記第１搬送路は、上記第１トレイから送られるシートをガイドするものであり、上記第１トレイから湾曲しつつ上方へ延びている湾曲部分及び当該湾曲部分に連続する延出部分を有し、上記第２搬送路は、被記録媒体を支持可能な媒体トレイをガイドするものであり、上記第１搬送路における上記延出部分及び上記湾曲部分の境界から上記延出部分と反対向きに延びており、上記第３搬送路は、上記第２トレイから送られるシートをガイドするものであり、上記第２トレイから下方へ延びており上記延出部分と接続されており、上記第１搬送路と、上記第２搬送路と、上記第３搬送路との合流位置に移動可能であって、上記第１搬送路を搬送されるシートをガイドするガイド部材と、を備え、上記ガイド部材は、既定状態において上記第１搬送路の少なくとも一部を上記合流位置に対して塞ぎ、且つ、上記第２搬送路及び第３搬送路が上記合流位置に対して開放された第１の位置に保持され、上記第１搬送路を搬送されるシートと当接することによって、上記第１搬送路を上記合流位置に対して開放し、且つ、上記第２搬送路の少なくとも一部及び上記第３搬送路の少なくとも一部を上記合流位置に対して塞ぐ第２位置に移動する画像記録装置として捉えることもできる。
【発明の効果】
【００３４】
本発明によれば、第１ガイド部材を他の部材に連動させることなく移動可能であり且つ３つの搬送路が合流する構成においてシートを安定して搬送させることができる。
【図面の簡単な説明】
【００３５】
【図１】図１は、複合機１０の外観斜視図である。
【図２】図２は、プリンタ部１１の内部構造を模式的に示す縦断面図である。
【図３】図３は、ガイド部材３４の外観斜視図である。
【図４】図４は、プリンタ部１１の後側の内部構造を模式的に示す縦断面図であり、（Ａ）には外側ガイド部材１８が開状態であるプリンタ部１１の後側の内部構造が示されており、（Ｂ）には外側ガイド部材１８の開状態から閉状態への移行過程におけるプリンタ部１１の後側の内部構造が示されており、（Ｃ）には外側ガイド部材１８が閉状態であるプリンタ部１１の後側の内部構造が示されている。
【図５】図５は、ガイド部材３４が第１位置のときのプリンタ部１１の後側の斜視図である。
【図６】図６は、ガイド部材３４が第２位置のときのプリンタ部１１の後側の斜視図である。
【図７】図７は、媒体トレイ７１が挿入された状態のプリンタ部１１の内部構造を模式的に示す縦断面図である。
【図８】図８は、変形例における筐体１４の一部、ガイド部材３４、外側ガイド部材１８、及びコイルばね８２を模式的に示す縦断面図である。
【発明を実施するための形態】
【００３６】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００３７】
［複合機１０の全体構成］
図１に示されるように、複合機１０は、概ね直方体に形成されており、インクジェット記録方式で記録用紙などのシートに画像を記録するプリンタ部１１（本発明の画像記録装置の一例）を備えている。複合機１０は、ファクシミリ機能及びプリント機能などの各種の機能を有している。また、複合機１０は、シートよりも厚みのあるＣＤ−ＲＯＭやＤＶＤ−ＲＯＭなどの被記録媒体の盤面上に画像を記録する機能を有する。
【００３８】
本実施形態では、被記録媒体は、板形状の媒体トレイ７１（図７参照）に支持された状態で、後述する直線路６５Ｂ及びレーベル経路６７を搬送される。この場合、被記録媒体が、本発明の被記録媒体の一例であり、媒体トレイ７１が、本発明の搬送媒体の一例である。なお、プリンタ部１１は、被記録媒体自体が直線路６５Ｂ及びレーベル経路６７を搬送されるように構成されていてもよい。この場合、被記録媒体が、本発明の被記録媒体の一例であるとともに本発明の搬送媒体の一例でもある。
【００３９】
プリンタ部１１は、前面に開口１３が形成された筐体１４を有している。開口１３には、各種サイズの記録用紙を支持可能な給送トレイ２０（本発明の第１トレイの一例）及び排出トレイ２１が、前後方向８に挿入及び脱抜可能に設けられている。
【００４０】
図２及び図７に示されるように、プリンタ部１１は、給送トレイ２０から記録用紙を給送する給送部１５、記録用紙に画像を記録する記録部２４、記録用紙及び媒体トレイ７１を搬送する第１搬送ローラ対５４（本発明の搬送ローラ対の一例）及び第２搬送ローラ対５５、搬送経路６５（本発明の第１搬送路の一例）、レーベル経路６７（本発明の第２搬送路の一例）、及びバイパス経路６６（本発明の第３搬送路の一例）などを備えている。つまり、筐体１４の内部には、給送部１５、記録部２４、第１搬送ローラ対５４、及び第２搬送ローラ対５５などが配置されており、搬送経路６５、レーベル経路６７、及びバイパス経路６６などが形成されている。
【００４１】
図１に示されるように、プリンタ部１１の上部には、スキャナ部１２が設けられている。スキャナ部１２は、フラットベッドスキャナである。なお、フラットベッドスキャナの構造は公知であるので、ここでは詳細な説明が省略される。
【００４２】
［プリンタ部１１］
以下、プリンタ部１１の詳細な構造が説明される。
【００４３】
［給送トレイ２０］
図１及び図２に示される給送トレイ２０は、上方が開放された箱型の形状を有している。給送トレイ２０の上方には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を重ねた状態で収容可能である。給送トレイ２０は、筐体１４の開口１３に通ずる内部空間に収容されている。給送トレイ２０は、開口１３を通じて筐体１４に対して前後方向８に沿って進退可能である。
【００４４】
［給送部１５］
図２に示されるように、給送部１５は、給送ローラ２５、給送アーム２６、及び駆動伝達機構２７を備えている。給送部１５は、給送トレイ２０の上方であって記録部２４の下方に設けられている。給送ローラ２５は、給送アーム２６の先端部に回転可能に軸支されている。給送アーム２６は、基端部に設けられた軸２８を中心として、矢印２９の方向に回動する。給送アーム２６の回動に伴って、給送ローラ２５は、給送トレイ２０の支持面に対して当接及び離間する。したがって、記録用紙を収容した給送トレイ２０が筐体１４内に装着されたとき、給送ローラ２５は、給送トレイ２０に収容された記録用紙に当接可能である。
【００４５】
給送ローラ２５には、モータ（不図示）の駆動力が駆動伝達機構２７を通じて伝達される。駆動伝達機構２７は、軸２８に伝達された回転を、複数のギヤが噛合されてなるギヤ列により給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。
【００４６】
［搬送経路６５］
図２に示されるように、筐体１４の内部空間に設けられた搬送経路６５は、給送トレイ２０の後側から上方へ湾曲して延び、更に前側へ向かって延びて排出トレイ２１に至っている。搬送経路６５は、給送トレイ２０から送られる記録用紙をガイドするものである。搬送経路６５は、湾曲路６５Ａ（本発明の湾曲部分の一例）と、湾曲路６５Ａと連続する直線路６５Ｂ（本発明の延出部分の一例）とによって構成される。
【００４７】
湾曲路６５Ａは、記録用紙が通過可能な空間を隔てて互いに対向する外側ガイド部材１８（本発明の第２ガイド部材の一例）と、内側ガイド部材１９及びガイド部材３１とによって構成されている。直線路６５Ｂは、ほぼ真っ直ぐに延びているために、媒体トレイ７１が屈曲することなく通過することができる。直線路６５Ｂは、記録用紙及び媒体トレイ７１が通過可能な空間を隔てて互いに対向する記録部２４及びプラテン４２と、記録用紙及び媒体トレイ７１が通過可能な空間を隔てて互いに対向するガイド部材３１及びガイド部材３２（本発明の第４ガイド部材の一例）とによって構成されている。内側ガイド部材１９及びガイド部材３１は、本発明の第３ガイド部材の一例である。
【００４８】
なお、上述したように、外側ガイド部材１８、内側ガイド部材１９、及びガイド部材３１によって湾曲路６５Ａの全部を形成しているが、湾曲路６５Ａの一部のみを形成していてもよい。また、ガイド部材３１、３２は、上述したように直線路６５Ｂの一部のみを形成しているが、直線路６５Ｂの全部を形成していてもよい。
【００４９】
給送トレイ２０の給送ローラ２５によって搬送経路６５に沿って給送された記録用紙は、湾曲路６５Ａに沿って下方から上方へ向かいつつＵターンされ、直線路６５Ｂに沿って後方から前方へ向かって搬送される。つまり、記録用紙は、図２に一点鎖線の矢印で示される給送向き１７に沿って搬送される。
【００５０】
外側ガイド部材１８は、湾曲路６５Ａに沿って記録用紙が搬送されるとき、外側の案内面を構成する部材である。内側ガイド部材１９は、湾曲路６５Ａに沿って記録用紙が搬送されるとき、内側の案内面を構成する部材である。ガイド部材３１は、直線路６５Ｂに沿って記録用紙が搬送されるとき、下側の案内面を構成する部材である。ガイド部材３２は、直線路６５Ｂに沿って記録用紙が搬送されるとき、上側の案内面を構成する部材である。ガイド部材３２は、後述されるバイパス経路６６を構成する部材でもある。なお、各案内面は、１つの面で構成されていてもよいし、複数のリブの先端面の群として構成されていてもよい。
【００５１】
［外側ガイド部材１８の回動動作］
図４に示されるように、外側ガイド部材１８は、筐体１４に対して回動可能に支持されている。外側ガイド部材１８は、筐体１４の後面の一部を構成している。外側ガイド部材１８の下側の左右両端に設けられた軸７６が筐体１４に支持されている。
【００５２】
図２及び図４（Ｃ）に示されるように、外側ガイド部材１８が筐体１４に対して起立した状態のとき、外側ガイド部材１８は湾曲路６５Ａの外側の案内面を構成する。このときの外側ガイド部材１８の状態が、本発明の閉状態である。一方、外側ガイド部材１８が軸７６を回動の中心として筐体１４に対して回動されたとき、すなわち、図４（Ａ）に示されるように、ガイド部材２２の上側（回動先端側）が筐体１４に対して後向きへ倒伏するように回動したとき、湾曲路６５Ａが筐体１４の外方に開放（露出）される。このときの外側ガイド部材１８の状態が、本発明の開状態である。
【００５３】
なお、外側ガイド部材１８は、回動以外の手段、例えば筐体１４に対する着脱によって本発明の閉状態及び開状態に変化してもよい。
【００５４】
［第１搬送ローラ対５４及び第２搬送ローラ対５５］
図２に示されるように、直線路６５Ｂにおける記録部２４よりも給送向き１７の上流側には、第１搬送ローラ対５４が設けられている。第１搬送ローラ対５４は、第１搬送ローラ６０とピンチローラ６１とを有する。直線路６５Ｂにおいて、記録部２４よりも給送向き１７の下流側には、第２搬送ローラ対５５が設けられている。第２搬送ローラ対５５は、第２搬送ローラ６２と拍車ローラ６３とを有する。第１搬送ローラ６０及び第２搬送ローラ６２は、モータ（不図示）の回転が伝達されて回転する。
【００５５】
［記録部２４］
図２に示されるように、直線路６５Ｂにおける第１搬送ローラ対５４と第２搬送ローラ対５５との間に記録部２４が設けられている。記録部２４は、キャリッジ４１と記録ヘッド３９とを備えている。キャリッジ４１は、プラテン４２の上方に設けられたガイドレール４３，４４によって左右方向９に往復動可能に支持されている。ガイドレール４４には、公知のベルト機構が設けられている。キャリッジ４１は、ベルト機構の無端ベルトと連結されており、無端ベルトの回動によってガイドレール４３，４４に沿って左右方向９に往復動する。キャリッジ４１と記録ヘッド３９とが、プラテン４２と空間を隔てて対向しているとき、キャリッジ４１、記録ヘッド３９、及びプラテン４２は直線路６５Ｂの一部を構成する。
【００５６】
記録ヘッド３９は、キャリッジ４１に搭載されている。記録ヘッド３９の下面には、複数のノズル（不図示）が形成されている。記録ヘッド３９に、インクカートリッジ（不図示）からインクが供給される。記録ヘッド３９は、複数のノズルからインクを微小なインク滴として選択的に吐出する。キャリッジ４１が左右方向９へ移動しているときに、直線路６５Ｂを搬送される記録用紙または媒体トレイ７１に支持された被記録媒体へ向けて、ノズルからインク滴が吐出される。吐出されたインク滴がプラテン４２上の記録用紙または媒体トレイ７１上の被記録媒体に付着することにより、記録用紙または被記録媒体に画像が記録される。
【００５７】
［各ローラ対５４、５５、プラテン４２、及びガイド部材３１の移動］
第１搬送ローラ対５４及び第２搬送ローラ対５５のうち下側に位置するピンチローラ６１及び第２搬送ローラ６２と、プラテン４２とは上下方向７に移動可能である。また、ガイド部材３１は、後側に設けられた軸７５を中心として筐体１４に対して回動可能である。本実施形態において、ガイド部材３１は、内側ガイド部材１９によって回動可能に支持されているが、内側ガイド部材１９以外、例えば筐体１４によって回動可能に支持されていてもよい。
【００５８】
ピンチローラ６１及び第２搬送ローラ６２は、上側に位置する第１搬送ローラ６０及び拍車ローラ６３と当接した当接位置（図２に実線で示される位置）と、第１搬送ローラ６０及び拍車ローラ６３から離間した離間位置（図２に破線で示される位置）とに移動可能である。
【００５９】
当該移動は、公知の構成によって実現される。例えば、本実施形態では、開口１３に通ずる内部空間に設けられたレバー部９５（図１参照）と、ピンチローラ６１及び第２搬送ローラ６２を支持する支持部材（不図示）とが連結しており、レバー部９５がユーザによって移動されることに連動して、上記支持部材が上下方向７に移動する。そして、上記支持部材の上下方向７の移動により、ピンチローラ６１及び第２搬送ローラ６２は、当接位置及び離間位置の間を移動する。もちろん、ピンチローラ６１及び第２搬送ローラ６２の移動は、他の構成によって実現されてもよく、例えば、ピンチローラ６１及び第２搬送ローラ６２は、モータ（不図示）から駆動力を付与されることによって移動してもよい。
【００６０】
ピンチローラ６１及び第２搬送ローラ６２が当接位置のとき、第１搬送ローラ対５４及び第２搬送ローラ対５５は、それぞれを構成する各ローラの間に記録用紙を挟持可能である。一方、ピンチローラ６１及び第２搬送ローラ６２が離間位置のとき、第１搬送ローラ対５４及び第２搬送ローラ対５５は、それぞれを構成する各ローラの間に媒体トレイ７１を挟持可能である。第１搬送ローラ対５４及び第２搬送ローラ対５５は、記録用紙または媒体トレイ７１を挟持した状態において、第１搬送ローラ６０及び第２搬送ローラ６２が回転することによって、記録用紙または媒体トレイ７１を、直線路６５Ｂ及び後述するレーベル経路６７に沿って搬送する。
【００６１】
プラテン４２は、プラテン４２によって支持された記録用紙と記録ヘッド３９との間に上下方向７の間隔が記録用紙への画像記録に適した距離となる上方位置（図２に実線で示される位置）と、当該上方位置よりも下方に位置しており直線路６５Ｂを搬送される媒体トレイ７１よりも下方に位置する下方位置（図２に破線で示される位置であって図７に示される位置）との間で移動可能である。当該移動は、ローラ６１、６２と同様に公知の構成によって実現される。例えば、プラテン４２を支持する支持部材と上述したレバー部９５とが連結されており、レバー部９５の移動に連動した上記支持部材の上下方向７の移動により、プラテン４２が上下方向７に移動する。
【００６２】
ガイド部材３１は、記録用紙が搬送経路６５を案内されるときの位置である第１回動位置（図２に破線で示される位置）と、第１回動位置よりも回動先端が下方に位置しており媒体トレイ７１が直線路６５Ｂを案内されるときの位置である第２回動位置（図２に破線で示される位置であって図４に示される位置）との間で回動可能である。当該回動は、公知の構成によって実現される。例えば、ガイド部材３１は、上述したレバー部９５と連結された支持部材に支持されることによって第１回動位置を維持し、上記支持部材による支持が解除されることによって第１回動位置から第２回動位置に回動する。また、第２回動位置のガイド部材３１は、レバー部９５の移動に連動して移動する上記支持部材に持ち上げられることによって第２回動位置から第１回動位置に回動する。なお、ガイド部材３１は、回動以外によって、例えば上下方向７へのスライドによって移動してもよい。
【００６３】
［ガイド部材３１の凹部５１］
図５及び図６に示されるように、ガイド部材３１は、凹部５１を備えている。凹部５１は、左右方向９において、間隔を空けて複数設けられている。凹部５１の左右方向９の位置は、後述するガイド部材３４の回動先端に対応する位置である。
【００６４】
［レーベル経路６７］
図２に示されるように、筐体１４の内部には、搬送経路６５における湾曲路６５Ａ及び直線路６５Ｂの境界から後向きに延びたレーベル経路６７が設けられている。レーベル経路６７及び直線路６５Ｂは、ほぼ前後方向８に沿って延びた１つの経路を構成している。これにより、レーベル経路６７は、直線路６５Ｂと共に、媒体トレイ７１を屈曲させることなくガイド可能である。
【００６５】
レーベル経路６７は、媒体トレイ７１が通過可能な空間を隔てて互いに対向する外側ガイド部材１８及びガイド部材３３によって構成されている。
【００６６】
なお、レーベル経路６７は、媒体トレイ７１が外側ガイド部材１８またはガイド部材３３と当接して通過するものであってもよいし、媒体トレイ７１が外側ガイド部材１８及びガイド部材３３と当接せずに通過するものであってもよい。つまり、上述したガイドとは、外側ガイド部材１８またはガイド部材３３が媒体トレイ７１と当接しつつレーベル経路６７を通過させることのみならず、外側ガイド部材１８及びガイド部材３３が媒体トレイ７１と当接しない状態で媒体トレイ７１がレーベル経路６７を通過することも含む。
【００６７】
［バイパス経路６６］
図２に示されるように、筐体１４の内部には、直線路６５Ｂの後方且つ上方から搬送経路６５（本実施形態では直線路６５Ｂ）へ向けて延びるバイパス経路６６が形成されている。バイパス経路６６は、筐体１４の内部において、前後方向８の後方から前方へ斜め下方に向かって延びており、直線路６５Ｂとレーベル経路６７との合流位置８０において直線路６５Ｂと接続されている。バイパス経路６６は、湾曲路６５Ａ、直線路６５Ｂ、及びレーベル経路６７のいずれよりも上方に配置されている。バイパス経路６６は、記録用紙が通過可能な空間を隔てて互いに対向するガイド部材３２の下側とガイド部材３３の上側とによって構成されている。
【００６８】
後述されるバイパストレイ７０に支持された記録用紙は、バイパス経路６６に沿って斜め下方へガイドされる。その記録用紙は、搬送経路６５の直線路６５Ｂに沿ってガイドされ、第１搬送ローラ対５４により搬送される。その記録用紙は、更に記録部２４によって画像記録が行われて、排出トレイ２１へ排出される。
【００６９】
［バイパストレイ７０］
図２に示されるように、複合機１０の後面側であって外側ガイド部材１８の上方には、バイパストレイ７０（本発明の第２トレイの一例）が設けられている。バイパストレイ７０は、給送トレイ２０とは独立して記録用紙を支持するものである。
【００７０】
バイパストレイ７０は、記録用紙を支持する支持部６８と、支持部６８に支持された記録用紙の先端が当接する部分であって支持部６８とガイド部材３３とを繋ぐ当接部６９とを備えている。
【００７１】
当接部６９の上側には、分離片７２が設けられている。分離片７２の上面は、バイパストレイ７０に支持される記録用紙の先端が当接する面である。分離片７２の上面には、複数の歯（不図示）が前後方向８に沿って並んで、上面から上方へ突出されている。
【００７２】
なお、各図には示されていないが、バイパストレイ７０には、給送部１５と同構成の給送部が設けられている。給送部は、支持部６８の上方に設けられた給送ローラを備えており、モータから駆動伝達されて給送ローラが回転することによって、バイパストレイ７０の支持部６８に支持された記録用紙のうち一番上側の記録用紙がバイパス経路６６へ給送される。分離片７２の歯によって、一番上側の記録用紙が下側の記録用紙から分離される。よって、下側の記録用紙は一番上側の記録用紙に引き摺られることなくバイパストレイ７０に保持される。
【００７３】
［ガイド部材３４］
図２に示されるように、湾曲路６５Ａにおける直線路６５Ｂ側に、ガイド部材３４（本発明の第１ガイド部材の一例）が設けられている。ガイド部材３４は、図３に示されるような湾曲した板形状である。なお、ガイド部材３４は、左右方向９（本発明の幅方向の一例）に間隔を空けて複数設けられていてもよい。
【００７４】
ガイド部材３４は、外側ガイド部材１８によって回動可能に支持されている。ガイド部材３４の後側の左右両端に設けられた軸８３が外側ガイド部材１８に支持されている。
【００７５】
外側ガイド部材１８が閉状態であるとき、ガイド部材３４は、給送向き１７の上流側、すなわち後側を基端側として、且つ前側を回動先端側として、図２に実線で示される第１位置と図２に破線で示される第２位置との間で回動可能である。一方、図４（Ａ）に示されるように、外側ガイド部材１８が開状態であるとき、ガイド部材３４は、第１位置及び第２位置に加えて、図４（Ａ）に実線で示されており第１位置に対して第２位置の反対側である第３位置に回動可能である。なお、図４（Ａ）において、第１位置のガイド部材３４は破線で示されており、第２位置のガイド部材３４は一点鎖線で示されている。
【００７６】
なお、ガイド部材３４は、外側ガイド部材１８以外、例えば筐体１４によって支持されていてもよい。
【００７７】
ガイド部材３４は、第１位置の状態において、合流位置８０の下方に位置している。また、ガイド部材３４は、第１位置の状態において、レーベル経路６７よりも下方に位置している。
【００７８】
ガイド部材３４が第１位置のとき、ガイド部材３４の下面７７（図３参照）は、外側ガイド部材１８と共に、湾曲路６５Ａの外側の一部を構成する。ガイド部材３４の下面７７の裏側に、左右方向９に間隔を空けて設けられた複数のリブ７８が設けられている。ガイド部材３４が第１位置のとき、リブ７８は、ガイド部材３１と共に、直線路６５Ｂの下側の一部を構成する。つまり、ガイド部材３４は、搬送経路６５を搬送される記録用紙をガイドする。
【００７９】
また、ガイド部材３４は、図３に示されるように、給送向き１７の下流側部分から突出した複数の突出部３５を備えている。突出部３５の先端が、ガイド部材３４の回動先端８１である。ガイド部材３４が第１位置の状態において、突出部３５は、ガイド部材３１の凹部５１に収容されている。突出部３５は、凹部５１に完全に収容されていてもよいし、当該突出部３５の上側部分が凹部５１から突出した状態で凹部５１に収容されていてもよい。
【００８０】
ガイド部材３４は、外部から力を付与されていない既定状態において、図２に示されるように、突出部３５がガイド部材３１に支持されている。これにより、ガイド部材３４は、第１位置に保持されている。なお、ガイド部材３４の突出部３５は、ガイド部材３１以外の部材、例えば筐体１４に支持されていてもよい。
【００８１】
上述したように、第１位置のガイド部材３４は、回動基端側が外側ガイド部材１８に支持され且つ回動先端側である突出部３５がガイド部材３１に支持されている。これにより、第１位置のガイド部材３４は、搬送経路６５の湾曲路６５Ａを合流位置８０に対して塞いでいる。また、これにより、第１位置のガイド部材３４は、ガイド部材３２から離間した状態となる。その結果、レーベル経路６７及びバイパス経路６６が、合流位置８０に対して開放されている。
【００８２】
なお、第１位置のガイド部材３４は、搬送経路６５の湾曲路６５Ａを合流位置８０に対して完全に塞いでいる必要はない。例えば、第１位置のガイド部材３４は、湾曲路６５Ａを給送向き１７に搬送されている記録用紙が直線路６５Ｂへ進入する可能性を低減できることを条件として、湾曲路６５Ａを合流位置８０に対して一部のみ塞いでいてもよい。
【００８３】
ガイド部材３４は、後述するように湾曲路６５Ａを給送向き１７に搬送される記録用紙に下方から押されることによって、第１位置から第２位置へ回動する。ガイド部材３４が第２位置の状態において、ガイド部材３４の前後方向８の概ね中央部が、合流位置８０に位置している。
【００８４】
ガイド部材３４が第１位置から第２位置へ回動することによって、ガイド部材３４の回動先端８１がガイド部材３１から離間する。これにより、湾曲路６５Ａが合流位置８０に対して開放される。また、ガイド部材３４が第１位置から第２位置へ回動することによって、図２に破線で示されるように、ガイド部材３４の回動先端８１がガイド部材３２の下面と当接する。これにより、ガイド部材３４は、レーベル経路６７及びバイパス経路６６を合流位置８０に対して塞ぐ。
【００８５】
なお、第２位置のガイド部材３４は、レーベル経路６７及びバイパス経路６６を合流位置８０に対して完全に塞ぐ必要はない。例えば、ガイド部材３４は、直線路６５Ｂ及びレーベル経路６７間を媒体トレイ７１が搬送不可能であること、及びバイパス経路６６から直線路６５Ｂへ記録用紙が搬送不可能であることを条件として、レーベル経路６７及びバイパス経路６６を合流位置８０に対して一部のみ塞いでもよい。
【００８６】
また、湾曲路６５Ａ、レーベル経路６７、またはバイパス経路６６の各経路を合流位置に対して一部のみ塞ぐとは、ガイド部材３４が左右方向９に間隔を空けて複数設けられている構成において、当該間隔の部分が各経路を合流位置に対して塞いでいない場合も含む。
【００８７】
また、第２位置のガイド部材３４の回動先端８１は、合流位置８０よりも給送向き１７の下流側に位置している。これにより、湾曲路６５Ａから直線路６５Ｂへ給送向き１７に搬送されている記録用紙が誤ってレーベル経路６７またはバイパス経路６６へ進入することを確実に防止することができる。
【００８８】
[外側ガイド部材１８のストッパ７９及びガイド部材３４の湾曲面５２]
図４に示されるように、外側ガイド部材１８は、ガイド部材３４の第１位置から第３位置へ向かう回動を第３位置で規制するストッパ７９を備えている。本実施形態において、ストッパ７９は、外側ガイド部材１８におけるガイド部材３４の下方に対応する位置に形成された当接片であり、第３位置のガイド部材３４の下面７７に下方から当接する。これにより、ガイド部材３４が第３位置よりも更に下方へ回動することが防止される。
【００８９】
また、図４に示されるように、ガイド部材３１の凹部５１の後側は、下側へ湾曲した湾曲面５２（本発明の案内部の一例）である。
【００９０】
外側ガイド部材１８が、回動することによって、閉状態（図４（Ｃ）参照）から開状態（図４（Ａ）参照）へ変化すると、ガイド部材３４の回動先端８１がガイド部材３１から離間する。これにより、ガイド部材３４は、ガイド部材３１によって支持されない状態となるため、自重によって第１位置から第３位置へ向けて回動する（図４（Ａ）参照）。第３位置へ回動したガイド部材３１は、ストッパ７９と当接するため、それ以上下方へ回動しない。
【００９１】
外側ガイド部材１８が、回動することによって、開状態から閉状態へ変化する過程において、図４（Ｂ）に示されるように、ガイド部材３４の回動先端８１がガイド部材３１の湾曲面５２に当接する。この状態で外側ガイド部材１８が更に回動すると、ガイド部材３４は、湾曲面５２にガイドされることによって、第３位置から第１位置へ向けて回動する。そして、外側ガイド部材１８が閉状態となったとき、ガイド部材３４は第１位置に位置する。
【００９２】
［記録用紙への画像記録動作］
複合機１０の前面上部に設けられた操作パネル７３（図１参照）がユーザに操作されることによって、複合機１０の制御部（不図示）が給送トレイ２０に支持された記録用紙への画像記録を指示すると、給送ローラ２５が回転する。これにより、給送トレイ２０に支持された記録用紙は、湾曲路６５Ａへ給送されて、湾曲路６５Ａを給送向き１７に搬送される。
【００９３】
記録用紙の給送向き１７の先端が、自重によって第１位置に位置するガイド部材３４に当接すると、ガイド部材３４は、記録用紙に押されることによって、第１位置から第２位置へ回動する。これにより、ガイド部材３４は、ガイド部材３１から離間する。そのため、ガイド部材３４によって塞がれていた湾曲路６５Ａと直線路６５Ｂとが接続する。そして、記録用紙は、ガイド部材３４の下面７７（図３（Ｂ）参照）にガイドされて、湾曲路６５Ａから直線路６５Ｂへ搬送される。このとき、記録用紙の搬送経路６５からバイパス経路６６またはレーベル経路６７への進入や、記録用紙のガイド部材３３などへの引っかかりは、第２位置のガイド部材３４によって防止される。
【００９４】
その後、記録用紙は、記録部２４の下方を通る。このとき、搬送される記録用紙に対して、記録部２４の記録ヘッド３９からインク滴が吐出される。これにより、記録用紙に画像が記録される。その後、記録用紙は開口１３から複合機１０の外部に排出されて、排出トレイ２１に支持される。
【００９５】
一方、操作パネル７３（図１参照）がユーザに操作されることによって、複合機１０の制御部がバイパストレイ７０の支持部６８に支持された記録用紙への画像記録を指示すると、支持部６８と対向して設けられた給送ローラ（不図示）が回転する。これにより、支持部６８に支持された記録用紙は、バイパス経路６６を経て直線路６５Ｂへ向けて給送される。直線路６５Ｂへ上方から進入した記録用紙は、第１位置のガイド部材３４のリブ７８（図３（Ａ）参照）に当接し、リブ７８によって給送向き１７にガイドされる。これにより、記録用紙は、直線路６５Ｂを給送向き１７に搬送される。このとき、記録用紙の直線路６５Ｂから湾曲路６５Ａへの進入は、第１位置のガイド部材３４によって防止される。その後、上述と同様に、記録用紙は、記録部２４によって画像を記録され、排出トレイ２１に支持される。
【００９６】
［媒体トレイ７１に支持された被記録媒体への画像記録動作］
最初に、ユーザの操作によってレバー部９５が前方へ移動される。これにより、各ローラ対５４、５５、プラテン４２、及びガイド部材３１が下方位置及び第２回動位置に移動する。次に、ユーザによって、被記録媒体が支持された媒体トレイ７１が、開口１３に通ずる内部空間に設けられたトレイガイド（不図示）に支持されつつ、複合機１０内に挿入される。このとき、媒体トレイ７１の先端は、第１搬送ローラ６０と第２搬送ローラ６２との間に位置している。
【００９７】
この状態で、操作パネル７３（図１参照）がユーザに操作されることによって、複合機１０の制御部（不図示）が被記録媒体への画像記録を指示すると、第１搬送ローラ６０及び第２搬送ローラ６２が正転する。これにより、媒体トレイ７１は、後向き（給送向き１７と逆向き）に搬送されて、直線路６５Ｂを経てレーベル経路６７へ到達する。つまり、媒体トレイ７１は、直線路６５Ｂにおける給送向き１７の最下流側から挿入されてレーベル経路６７に到達する。なお、媒体トレイ７１は、被記録媒体の盤面が記録部２４と対向するまで、後向きに搬送される。
【００９８】
ここで、第１位置のガイド部材３４はレーベル経路６７よりも下方に位置しているため、搬送される媒体トレイ７１がガイド部材３４と接触することはない。
【００９９】
次に、制御部の制御によって、第１搬送ローラ６０及び第２搬送ローラ６２の回転が正転から逆転に切り替えられる。これにより、媒体トレイ７１が前向きに搬送される。このとき、記録ヘッド３９からインク滴が吐出される。これにより、被記録媒体の盤面上に画像が記録される。その後、媒体トレイ７１は開口１３から複合機１０の外部に排出される。
【０１００】
なお、媒体トレイ７１は、後向きに搬送されたレーベル経路６７へ到達した状態において、複合機１０の後面に形成された開口（不図示）を介して複合機１０の後面から突出していてもよいし、突出していなくてもよい。媒体トレイ７１が複合機１０の後面から突出しない場合には、上記開口が形成されている必要はない。
【０１０１】
また、本実施形態において、媒体トレイ７１は複合機１０の前側から挿入されたが、複合機１０の後側から挿入されてもよい。
【０１０２】
［実施形態の効果］
本実施形態によれば、ガイド部材３４は、搬送経路６５を搬送される記録用紙と当接することによって第１位置から第２位置に移動する。つまり、ガイド部材３４を他の部材に連動させることなく移動させることができる。また、ガイド部材３４が第１位置のとき、搬送経路６５の少なくとも一部が合流位置８０に対して塞がれているため、レーベル経路６７及びバイパス経路６６を搬送される記録用紙が搬送経路６５へ進入する可能性を低くすることができる。また、ガイド部材３４が第２位置のとき、レーベル経路６７の少なくとも一部及びバイパス経路６６の少なくとも一部が合流位置８０に対して塞がれているため、搬送経路６５を搬送される記録用紙がレーベル経路６７またはバイパス経路６６へ進入する可能性を低くすることができる。以上より、３つの搬送路が合流する構成において記録用紙を安定して搬送させることができる。
【０１０３】
また、本実施形態によれば、ガイド部材３４が第２位置のとき、レーベル経路６７の少なくとも一部及びバイパス経路６６の少なくとも一部が合流位置８０に対して塞がれているため、湾曲路６５Ａを搬送される記録用紙をレーベル経路６７またはバイパス経路６６へ進入させることなく直線路６５Ｂへガイドすることができる。
【０１０４】
また、本実施形態によれば、レーベル経路６７が直線路６５Ｂと反対向きに延びているため、レーベル経路６７及び直線路６５Ｂは記録用紙だけでなく剛性の高い搬送媒体をガイドできる。
【０１０５】
また、本実施形態によれば、記録用紙だけでなく剛性の高い媒体トレイ７１に支持された被記録媒体にも画像を記録できる。
【０１０６】
また、本実施形態によれば、ガイド部材３４が第２位置のとき、搬送経路６５を搬送される記録用紙は、ガイド部材３４にガイドされることによって、直線路６５Ｂにおける合流位置８０より給送向き１７の下流側へ到達し、そのまま第１搬送ローラ対５４へ向けて搬送される。よって、ガイド部材３４に沿ってガイドされて直線路６５Ｂへ到達した記録用紙が、ガイド部材３４の回動先端よりも給送向き１７の上流側へ戻ってレーベル経路６７やバイパス経路６６へ進入したり、ガイド部材３４の回動先端よりも給送向き１７の上流側に位置する合流位置８０において各経路６６、６７などを構成するガイド部材３３などに引っかかったりする可能性は殆どない。
【０１０７】
また、本実施形態によれば、第１位置のガイド部材３４は、湾曲路６５Ａと直線路６５Ｂとの連通を遮断している。これにより、直線路６５Ｂ、レーベル経路６７、及びバイパス経路６６を搬送される記録用紙が誤って湾曲路６５Ａに進入することを防止できる。
【０１０８】
また、本実施形態によれば、第１位置のガイド部材３４がレーベル経路６７よりも下方に位置しているため、ガイド部材３４がレーベル経路６７を搬送される媒体トレイ７１と接触して傷つくことを防止できる。
【０１０９】
また、本実施形態によれば、ガイド部材３４は、搬送経路６５から搬送される記録用紙に加えてバイパス経路６６から搬送される記録用紙をガイドすることができる。
【０１１０】
また、本実施形態によれば、外側ガイド部材１８を開状態から閉状態へ変化させる際に、ガイド部材３４は、通常、自重などによって最も下方に位置する第３位置に位置する。そして、第３位置に位置するガイド部材３４は、外側ガイド部材１８が閉状態へ変化する過程において、湾曲面５２によって第３位置から第１位置へガイドされる。これにより、湾曲路６５Ａに詰まった記録用紙を取り出すために開状態に変化された外側ガイド部材１８が閉状態へ再び変化される場合に、ガイド部材３４が他の部材に引っかかることなどによって当該変化の障害となることを防止できる。
【０１１１】
また、本実施形態によれば、凹部５１が設けられていない構成よりも、第１位置のガイド部材３４をガイド部材３１（下方）に位置させることができる。これにより、ガイド部材３４及びガイド部材３１の配置に要するスペースを小さくすることができる。
【０１１２】
[変形例]
上述の実施形態では、ガイド部材３４は、自重によって第１位置に保持されていたが、プリンタ部１１は、ガイド部材３４を第２位置から第１位置への向き、つまり下方に付勢する付勢部材を備えていてもよい。例えば、付勢部材は、図８に示されるように、コイルばね８２である。コイルばね８２は、左右方向９において搬送経路６５の外側に配置されている。また、コイルばね８２の一端はガイド部材３４に取り付けられており、コイルばね８２の他端は一端よりも上方において筐体１４に取り付けられている。もちろん、付勢部材は、上述したようなコイルばね８２に限らない。ガイド部材３４はコイルばね８２によって下方へ付勢されるため、ガイド部材３４の位置を安定させることができる。
【０１１３】
各経路６５、６６、６７の位置や延出方向は、ガイド部材３４が上述した第１位置（搬送経路６５を合流位置８０に対して塞ぎ且つ各経路６６、６７を合流位置８０に対して開放する位置）及び第２位置（搬送経路６５を合流位置８０に対して開放し且つ各経路６６、６７を合流位置８０に対して塞ぐ位置）に移動可能であることを条件として、上述の実施形態に記された位置や延出方向に限らない。
【符号の説明】
【０１１４】
１０・・・複合機
１１・・・プリンタ部
１４・・・筐体
３４・・・ガイド部材
６５・・・搬送経路
６６・・・バイパス経路
６７・・・レーベル経路
８０・・・合流位置
【図１】
2015174337.tif 000003
【図２】
2015174337.tif 000004
【図３】
2015174337.tif 000005
【図４】
2015174337.tif 000006
【図５】
2015174337.tif 000007
【図６】
2015174337.tif 000008
【図７】
2015174337.tif 000009
【図８】
2015174337.tif 000010